(57)【要約】      （修正有）【課題】増設親機から親機への上り音声信号の電圧レベルが可変されることを防止し、常に安定した電圧レベルの音声信号を親機にて受信させ良好な通話品質を確保する。【解決手段】上り音声ラインＬ1、下り音声ラインＬ2及びグランドラインＬ3の３線のラインを経由して、親機１及び通話状態にある特定の増設親機２ａとの間で通話を成立させるにあたり、通話状態にある増設親機の増設マイク２０ａに入力され、増設送信アンプ２３ａにて反転された逆位相の上り音声信号を、非通話状態にある増設親機２ｂの帰還アンプ２５ｂに伝送し、上り音声信号と同位相で増設送信アンプ２３ｂに入力させることにより、この非通話状態にある増設親機の出力抵抗Ｒ21bの両端には、同位相、同電圧レベルの信号が印加されて親機からみた非通話状態にある増設親機のインピーダンスが高インピーダンスとなり擬似化される。【選択図】図１
2010057059.tif 000002
【特許請求の範囲】
【請求項１】
親機（１）の親機マイク（１１０）及び親機スピーカ（１１１）と複数の増設親機（２ａ、２ｂ、・・・）の増設マイク（２０ａ、２０ｂ、・・・）及び増設スピーカ（２１ｂ、２１ｂ、・・・）との間で上り音声ライン（Ｌ1）、下り音声ライン（Ｌ2）及びグランドライン（Ｌ3）の３線のラインを経由して音声信号を送受信し、通話を成立させるにあたり、
前記親機には、前記増設親機から当該親機への前記上り音声ラインの終端抵抗（Ｒ106）を備え、
前記増設親機には、前記増設マイクに入力された上り音声信号を出力するための増設送信アンプ（２３ａ、２３ｂ、・・・）と、前記増設送信アンプから前記上り音声ラインへの出力抵抗（Ｒ21a、Ｒ21b、・・・）と、前記終端抵抗及び前記出力抵抗により分圧された前記増設送信アンプからの出力信号が入力され、前記上り音声信号と同位相の信号を前記増設送信アンプに入力させるための帰還アンプ（２５ａ、２５ｂ、・・・）とを備え、
前記増設親機の前記増設マイクへの前記上り音声信号が入力されて通話状態にある前記増設送信アンプで前記上り音声信号が出力される前記上り音声ラインに、前記増設親機の前記増設マイクへの前記上り音声信号の入力がない非通話状態にある前記帰還アンプ及び前記増設送信アンプで前記上り音声信号を同位相で入力させることにより、非通話状態にある前記増設親機の前記出力抵抗の両端にそれぞれ同位相、同電圧レベルの信号が印加されて前記親機からみた非通話状態にある前記増設親機のインピーダンスを高インピーダンスに擬似化することを特徴とする３線式インターホン装置。
【請求項２】
前記終端抵抗及び前記出力抵抗はそれぞれ、抵抗値が同一であることを特徴とする請求項１記載の３線式インターホン装置。
【請求項３】
前記増設送信アンプ及び前記帰還アンプはそれぞれ、増幅利得が１倍の反転アンプで構成されることを特徴とする請求項１記載の３線式インターホン装置。
【発明の詳細な説明】
【技術分野】
【０００１】
本発明は、親機に３線のラインを経由して複数の増設親機が並列接続される３線式インターホン装置に係り、特に、３線のラインを経由して音声信号を送受信して成立させる通話の通話品質を高めることができる３線式インターホン装置に関する。
【背景技術】
【０００２】
従来から、図２の回路図に示す構成の３線式インターホン装置が提案されている。この３線式インターホン装置は、上り音声ラインＬ101、下り音声ラインＬ102及びグランドラインＬ103の３線のラインを経由して、親機１０１及び複数の増設親機、ここでは、２台の増設親機１０２ａ、１０２ｂが並列接続されている。
【０００３】
ここで、３線のラインを構成する上り音声ラインＬ101、下り音声ラインＬ102のうち、「上り」とは、増設親機１０２ａ、１０２ｂから親機１０１への信号伝送方向を示すものであり、「下り」とは、親機１０１から増設親機１０２ａ、１０２ｂへの信号伝送方向を示すものである。
【０００４】
親機１０１には、下り音声信号とされる送話音声（以下、親機送話音声信号という。）を入力するための親機マイク１１０と、上り音声信号とされる受話音声（以下、親機受話音声信号という。）を出力するための親機スピーカ１１１と、当該親機の動作電源Ｖ101を生成するための親機電源部１１２と、親機マイク１１０から下り音声ラインＬ102に送信される親機送話音声信号を増幅するための親機送信アンプ１１３と、複数の増設親機１０２ａ、１０２ｂ、・・・より上り音声ラインＬ101を伝送され親機スピーカ１１１から出力される親機受話音声信号を増幅するための親機受信アンプ１１４と、親機マイク１１０の一端から親機送信アンプ１１３の（−）入力端子の間に直列接続されるコンデンサＣ100及び入力抵抗Ｒ100と、親機送信アンプ１１３の出力端子から下り音声ラインＬ102の間に直列接続される出力抵抗Ｒ101及びコンデンサＣ101と、親機送信アンプ１１３の出力端子から（−）入力端子への帰還抵抗Ｒ102と、下り音声ラインＬ102及びグランドラインＬ103の間に並列接続される当該下り音声ラインの終端抵抗Ｒ103と、親機受信アンプ１１４の出力端子から親機スピーカ１１１の一端の間に接続されるコンデンサＣ102と、上り音声ラインＬ101から親機受信アンプ１１４の（−）入力端子の間に直列接続されるコンデンサＣ103及び入力抵抗Ｒ104と、親機受信アンプ１１４の出力端子から（−）入力端子への帰還抵抗Ｒ105と、上り音声ラインＬ101及びグランドラインＬ103の間に並列接続される当該上り音声ラインの終端抵抗Ｒ106と、親機電源部１１２からの動作電源Ｖ101の電圧レベルを分圧するために直列接続される分圧抵抗Ｒ107、Ｒ108と、直列接続された分圧抵抗Ｒ107、Ｒ108の接続点からグランドの間に並列接続されるコンデンサＣ104とが備えられている。
【０００５】
この親機１０１において、親機マイク１１０の他端及び親機スピーカ１１１の他端にはそれぞれ、グランドが接続（アース接地）されている。また、親機電源部１１２の（−）側には、グランドが接続されている一方、（＋）側には、分圧抵抗Ｒ107の一端と、親機送信アンプ１１３及び親機受信アンプ１１４のそれぞれの（＋）電源端子とが接続されており、この親機送信アンプ１１３及び親機受信アンプ１１４のそれぞれの（−）電源端子には、グランドが接続されている。さらに、直列接続された分圧抵抗Ｒ107、Ｒ108の接続点には、親機送信アンプ１１３及び親機受信アンプ１１４のそれぞれの（＋）入力端子が接続されている。
【０００６】
増設親機１０２ａ、１０２ｂはそれぞれ同様な構成であり、上り音声信号とされる送話音声（以下、増設送話音声信号という。）を入力するための増設マイク１２０ａ、１２０ｂと、下り音声信号とされる受話音声（以下、増設受話音声信号という。）を出力するための増設スピーカ１２１ａ、１２１ｂと、当該増設親機の動作電源Ｖ102a、Ｖ102bを生成するための増設電源部１２２ａ、１２２ｂと、増設マイク１２０ａ、１２０ｂから上り音声ラインＬ101に送信される増設送話音声信号を増幅するための増設送信アンプ１２３ａ、１２３ｂと、親機１０１より下り音声ラインＬ102を伝送され増設スピーカ１２１ａ、１２１ｂから出力される増設受話音声信号を増幅するための増設受信アンプ１２４ａ、１２４ｂと、増設マイク１２０ａ、１２０ｂの一端から増設送信アンプ１２３ａ、１２３ｂの（−）入力端子の間に直列接続されるコンデンサＣ120a、Ｃ120b及び入力抵抗Ｒ120a、Ｒ120bと、増設送信アンプ１２３ａ、１２３ｂの出力端子から上り音声ラインＬ101の間に直列接続される出力抵抗Ｒ121a、Ｒ121b及びコンデンサＣ121a、Ｃ121bと、増設送信アンプ１２３ａ、１２３ｂの出力端子から（−）入力端子への帰還抵抗Ｒ122a、Ｒ122bと、下り音声ラインＬ102から増設受信アンプ１２４ａ、１２４ｂの（−）入力端子の間に直列接続されるコンデンサＣ122a、Ｃ122b及び入力抵抗Ｒ123a、Ｒ123bと、増設受信アンプ１２４ａ、１２４ｂの出力端子から（−）入力端子への帰還抵抗Ｒ124a、Ｒ124bと、増設電源部１２２ａ、１２２ｂからの動作電源Ｖ102a、Ｖ102bの電圧レベルを分圧するために直列接続される分圧抵抗Ｒ125a、Ｒ126a、Ｒ125b、Ｒ126bと、直列接続された分圧抵抗Ｒ125a、Ｒ126a、Ｒ125b、Ｒ126bの接続点からグランドの間に並列接続されるコンデンサＣ123a、Ｃ123bとが備えられている。
【０００７】
この増設親機１０２ａ、１０２ｂにおいて、増設マイク１２０ａ、１２０ｂの他端には、グランドが接続されている。また、増設スピーカ１２１ａ、１２１ｂの一端には、増設受信アンプ１２４ａ、１２４ｂの出力端子が接続されている一方、他端には、グランドが接続されている。また、増設電源部１２２ａ、１２２ｂの（−）側には、グランドが接続されている一方、（＋）側には、分圧抵抗Ｒ125a、Ｒ125bの一端と、増設送信アンプ１２３ａ、１２３ｂ及び増設受信アンプ１２４ａ、１２４ｂのそれぞれの（＋）電源部とが接続されており、この増設送信アンプ１２３ａ、１２３ｂ及び増設受信アンプ１２４ａ、１２４ｂのそれぞれの（−）電源端子には、グランドが接続されている。さらに、直列接続された分圧抵抗Ｒ125a、Ｒ126a、Ｒ125b、Ｒ126bの接続点には、増設送信アンプ１２３ａ、１２３ｂ及び増設受信アンプ１２４ａ、１２４ｂのそれぞれの（＋）入力端子が接続されている。
【０００８】
このように構成された従来例による３線式インターホン装置において、上り音声ラインＬ101、下り音声ラインＬ102及びグランドラインＬ103の３線のラインを経由して、親機１０１及び増設親機１０２ａ、１０２ｂとの間で通話を成立させるにあたり、親機１０１の親機マイク１１０に入力された親機送話音声信号は、コンデンサＣ100、入力抵抗Ｒ100を経由して親機送信アンプ１１３の（−）入力端子に伝送され、この親機送信アンプ１１３の作用によって増幅された後、出力抵抗Ｒ101、コンデンサＣ101、下り音声ラインＬ102、増設親機１０２ａ、１０２ｂのコンデンサC122a、Ｃ122b、入力抵抗Ｒ123a、Ｒ123bを経由して増設受信アンプ１２４ａ、１２４ｂの（−）入力端子にそれぞれ伝送される。
【０００９】
また、下り音声ラインＬ102のライン電圧は、増設親機１０２ａ、１０２ｂの入力抵抗Ｒ123a、Ｒ123bの抵抗値により決定されるものであって、下り音声ラインＬ102を経由して親機１０１から伝送されてきた親機送話音声信号は、増設受信アンプ１２４ａ、１２４ｂの作用によって増幅された後、増設スピーカ１２１ａ、１２１ｂから増設受話音声信号として出力されることになる。
【００１０】
ここで、親機１０１の終端抵抗Ｒ103は、インピーダンスを整合するための抵抗であって、その抵抗値は、増設親機１０２ａ、１０２ｂの入力抵抗Ｒ123a、Ｒ123bの抵抗値と比較して、式（１）の関係を有するように予め設定されている。
【００１１】
【数１】
2010057059.tif 000003
【００１２】
これにより、増設親機２ａ、２ｂの台数が増えた場合であっても、当該増設親機の入力抵抗は、親機１０１の終端抵抗Ｒ103の抵抗値で決定されるため、親機送話音声信号の電圧レベル（音圧レベル）を、常に安定したレベルに制御することができる。
【００１３】
一方、増設親機１０２ａ、１０２ｂのうち、ここでは、通話状態にある特定の増設親機として、増設親機１０２ａの増設マイク１２０ａに入力された増設送話音声信号は、コンデンサＣ120a、入力抵抗Ｒ120aを経由して増設送信アンプ１２３ａの（−）入力端子に伝送され、この増設送信アンプ１２３ａの作用によって増幅された後、出力抵抗Ｒ121a、コンデンサＣ121a、上り音声ラインＬ101、親機１０１のコンデンサC103、入力抵抗Ｒ104を経由して親機受信アンプ１１４の（−）入力端子に伝送されるとともに、前述の上り音声ラインＬ101、非通話状態にある増設親機２ｂのコンデンサＣ121bを経由して出力抵抗Ｒ121bに伝送される。
【００１４】
また、増設親機１０２ａ、１０２ｂにおいて、増設送信アンプ１２３ａ、１２３ｂが有する出力抵抗値ｒ123は、通常、数１０Ωであって、出力抵抗Ｒ121a、Ｒ121bの抵抗値と比較して非常に小さいため、この出力抵抗Ｒ121a、Ｒ121bが当該増設親機の入力抵抗となり、前述の親機送話音声信号が増設親機１０２ｂに伝送されている場合に、通話状態にある増設親機１０２ａからみた非通話状態にある増設親機１０２ｂの入力抵抗の合成入力抵抗値Ｚ102は、式（２）に示され、親機１０１の終端抵抗Ｒ106の抵抗値と増設親機１０２ｂの出力抵抗Ｒ121bの抵抗値との合成和（並列合成和）となり、増設親機１０２ａ、１０２ｂの台数が増えた場合、すなわち、増設親機１０２ａ、１０２ｂ、・・・ように増えた場合には、その値がより小さくなる。
【００１５】
【数２】
2010057059.tif 000004
【００１６】
ここで、通話状態にある増設親機１０２ａの増設マイク１２０ａに入力された増設送話音声信号が上り音声ラインＬ101を伝送されているとき、この上り音声ラインＬ101のライン電圧ＶL101は、増設親機１０２ａの増設送信アンプ１２３ａからの出力電圧Ｖoutを、当該増設送信アンプの出力抵抗値ｒ123及び前述の合成入力抵抗Ｚ102の抵抗値の合成和で分圧したものとなり、式（３）に示される。
【００１７】
【数３】
2010057059.tif 000005
【００１８】
なお、前述のような３線式インターホン装置として、３線（２線の通話用ライン、電源ライン）を経由して接続される機器の間で通話を成立させることができるセキュリティインターホンシステムが開示されている（例えば、特許文献１を参照。）。
【００１９】
【特許文献１】特開２００５−１９１７１４号公報
【発明の開示】
【発明が解決しようとする課題】
【００２０】
しかしながら、背景技術として従来例に記載した図２に示す３線式インターホン装置によれば、増設親機１０２ａ、１０２ｂの台数が増える、すなわち、増設親機１０２ａ、１０２ｂ、・・・のように増えるほど、並列接続される入力抵抗Ｒ121a、Ｒ121bの数も増える、すなわち、入力抵抗Ｒ121a、Ｒ121b、・・・のように増えるため、式（２）に示す合成入力抵抗値Ｚ102が小さくなり、ゆえに、式（３）に示すライン電圧ＶL101も小さくなる。
【００２１】
これにより、増設親機１０２ａ、１０２ｂ、・・・の増設送信アンプ１２３ａ、１２３ｂ、・・・のドライブ電流（駆動電流）を大きくせねばならず、消費電力が大きくなるばかりでなく、高価な部品が必要となりコストが増大となる難点があった。
【００２２】
本発明は、この難点を解決するためになされたもので、親機からみた非通話状態にある増設親機のインピーダンスを高インピーダンスに擬似化することにより、増設親機から親機への上り音声信号の電圧レベルが可変されることを防止し、常に安定した電圧レベルの音声信号を親機にて受信させ良好な通話品質を確保することができる３線式インターホン装置を提供することを目的としている。
【課題を解決するための手段】
【００２３】
前述の目的を達成するため、本発明の第１の態様である３線式インターホン装置は、親機の親機マイク及び親機スピーカと複数の増設親機の増設マイク及び増設スピーカとの間で上り音声ライン、下り音声ライン及びグランドラインの３線のラインを経由して音声信号を送受信し、通話を成立させるものである。親機には、増設親機から当該親機への上り音声ラインの終端抵抗を備えている。増設親機には、増設マイクに入力された上り音声信号を出力するための増設送信アンプと、増設送信アンプから上り音声ラインへの出力抵抗と、終端抵抗及び出力抵抗により分圧された増設送信アンプからの出力信号が入力され、上り音声信号と同位相の信号を増設送信アンプに入力させるための帰還アンプとを備えている。増設親機の増設マイクへの上り音声信号が入力されて通話状態にある増設送信アンプで上り音声信号が出力される上り音声ラインに、増設親機の増設マイクへの上り音声信号の入力がない非通話状態にある帰還アンプ及び増設送信アンプで上り音声信号を同位相で入力させることにより、非通話状態にある増設親機の出力抵抗の両端にそれぞれ同位相、同電圧レベルの信号が印加されて親機からみた非通話状態にある増設親機のインピーダンスを高インピーダンスに擬似化するものである。
【００２４】
また、本発明の第２の態様である３線式インターホン装置は、本発明の第１の態様において、終端抵抗及び出力抵抗はそれぞれ、抵抗値が同一である。
【００２５】
また、本発明の第３の態様である３線式インターホン装置は、本発明の第１の態様において、増設送信アンプ及び帰還アンプはそれぞれ、増幅利得が１倍の反転アンプで構成されるものである。
【発明の効果】
【００２６】
本発明の３線式インターホン装置によれば、上り音声ライン、下り音声ライン及びグランドラインの３線のラインを経由して、親機及び通話状態にある特定の増設親機との間で通話を成立させるにあたり、通話状態にある増設親機の増設マイクに入力され、増設送信アンプにて反転された逆位相の上り音声信号を、非通話状態にある増設親機の帰還アンプに伝送し、上り音声信号と同位相で増設送信アンプに入力させることにより、この非通話状態にある増設親機の出力抵抗の両端には、同位相、同電圧レベルの信号が印加されて親機からみた非通話状態にある増設親機のインピーダンスが高インピーダンスとなり擬似化されるため、上り音声信号の電圧レベルが可変することを防止でき、常に安定した電圧レベルの音声信号を親機にて受信させることで良好な通話品質が確保される。
【発明を実施するための最良の形態】
【００２７】
以下、本発明の３線式インターホン装置を適用した最良の実施の形態例について、図面を参照して説明する。
【００２８】
図１は、本発明の実施例による３線式インターホン装置の具体的な構成を示す回路図である。この３線式インターホン装置は、上り音声ラインＬ1、下り音声ラインＬ2及びグランドラインＬ3の３線のラインを経由して、親機１及び複数の増設親機、ここでは、２台の増設親機２ａ、２ｂが並列接続されている。なお、親機１は、背景技術として従来例に記載した親機１０１と同一の構成であるため、同一の符号を付与するものとし、その説明は省略する。
【００２９】
ここで、３線のラインを構成する上り音声ラインＬ1、下り音声ラインＬ2のうち、「上り」とは、増設親機２ａ、２ｂから親機１への信号伝送方向を示すものであり、「下り」とは、親機１から増設親機２ａ、２ｂへの信号伝送方向を示すものである。
【００３０】
増設親機２ａ、２ｂはそれぞれ同様な構成であり、上り音声信号とされる増設送話音声信号を入力するための増設マイク２０ａ、２０ｂと、下り音声信号とされる増設受話音声信号を出力するための増設スピーカ２１ａ、２１ｂと、当該増設親機の動作電源Ｖ2a、Ｖ2bを生成するための増設電源部２２ａ、２２ｂと、増設マイク２０ａ、２０ｂから上り音声ラインＬ1に送信される増設送話音声信号を増幅するための増幅利得Ｇ23a、Ｇ23bが１倍の反転アンプで構成される増設送信アンプ２３ａ、２３ｂと、親機１より下り音声ラインＬ2を伝送され増設スピーカ２１ａ、２１ｂから出力される増設受話音声信号を増幅するための増設受信アンプ２４ａ、２４ｂと、増設送信アンプ２３ａ、２３ｂからの出力信号を当該増設送信アンプに入力させるための増幅利得Ｇ25a、Ｇ25bが１倍の反転アンプで構成される帰還アンプ２５ａ、２５ｂと、増設マイク２０ａ、２０ｂの一端から増設送信アンプ２３ａ、２３ｂの（−）入力端子の間に直列接続されるコンデンサＣ20a、Ｃ20b及び入力抵抗Ｒ20a、Ｒ20bと、増設送信アンプ２３ａ、２３ｂの出力端子から上り音声ラインＬ1の間に直列接続される出力抵抗Ｒ21a、Ｒ21b及びコンデンサＣ21a、Ｃ21bと、同様に増設送信アンプ２３ａ、２３ｂの出力端子から上り音声ラインＬ1の間において、出力抵抗Ｒ21a、Ｒ21b、コンデンサＣ21a、Ｃ21bを経由して帰還アンプ２５ａ、２５ｂの（−）入力端子の間に直列接続されるコンデンサＣ22a、Ｃ22b及び入力抵抗Ｒ22a、Ｒ22bと、増設送信アンプ２３ａ、２３ｂの出力端子から（−）入力端子への帰還抵抗Ｒ23a、Ｒ23bと、下り音声ラインＬ2から増設受信アンプ２４ａ、２４ｂの（−）入力端子の間に直列接続されるコンデンサＣ23a、Ｃ23b及び入力抵抗Ｒ24a、Ｒ24bと、増設受信アンプ２４ａ、２４ｂの出力端子から（−）入力端子への帰還抵抗Ｒ25a、Ｒ25bと、帰還アンプ２５ａ、２５ｂの出力端子から増設送信アンプ２３ａ、２３ｂの（−）入力端子の間に直列接続される抵抗Ｒ26a、Ｒ26b及びコンデンサＣ24a、Ｃ24bと、帰還アンプ２５ａ、２５ｂの出力端子から（−）入力端子への帰還抵抗Ｒ27a、Ｒ27bと、増設電源部２２ａ、２２ｂからの動作電源Ｖ2a、Ｖ2bの電圧レベルを分圧するために直列接続される分圧抵抗Ｒ28a、Ｒ29a、Ｒ28b、Ｒ29bと、直列接続された分圧抵抗Ｒ28a、Ｒ29a、Ｒ28b、Ｒ29bの接続点からグランドの間に並列接続されるコンデンサＣ25a、Ｃ25bとが備えられている。
【００３１】
この増設親機２ａ、２ｂにおいて、増設マイク２０ａ、２０ｂの他端には、グランドが接続されている。また、増設スピーカ２１ａ、２１ｂの一端には、増設受信アンプ２４ａ、２４ｂの出力端子が接続されている一方、他端には、グランドが接続されている。また、増設電源部２２ａ、２２ｂの（−）側には、グランドが接続されている一方、（＋）側には、分圧抵抗Ｒ28a、Ｒ28bの一端と、増設送信アンプ２３ａ、２３ｂ、増設受信アンプ２４ａ、２４ｂ及び帰還アンプ２５ａ、２５ｂのそれぞれの（＋）電源部とが接続されており、この増設送信アンプ２３ａ、２３ｂ、増設受信アンプ２４ａ、２４ｂ及び帰還アンプ２５ａ、２５ｂのそれぞれの（−）電源端子には、グランドが接続されている。さらに、直列接続された分圧抵抗Ｒ28a、Ｒ29a、Ｒ28b、Ｒ29bの接続点には、増設送信アンプ２３ａ、２３ｂ、増設受信アンプ２４ａ、２４ｂ及び帰還アンプ２５ａ、２５ｂのそれぞれの（＋）入力端子が接続されている。
【００３２】
このように構成された本発明の実施例による３線式インターホン装置の具体的な動作、すなわち、通話の動作について説明する。
【００３３】
なお、図１に示す上り音声ラインＬ1、下り音声ラインＬ2及びグランドラインＬ3の３線のラインを経由して、親機１及び増設親機２ａ、２ｂのうち、特定の増設親機との間で通話を成立させるにあたり、親機１の親機マイク１１０に入力された親機送話音声信号を、下り音声ラインＬ2を経由して通話状態にある特定の増設親機に伝送し、増設スピーカ（２１ａ、２１ｂ）から増設受話音声信号として出力させる動作は、背景技術として従来例に記載した３線式インターホン装置における該当動作と同一であるため、その説明は省略するものとする。
【００３４】
図１に示す増設親機２ａ、２ｂのうち、ここでは、通話状態にある特定の増設親機として、増設親機２ａの増設マイク２０ａに入力された電圧レベルＶ20aの増設送話音声信号は、コンデンサＣ20a、入力抵抗Ｒ20aを経由して増設送信アンプ２３ａの（−）入力端子に伝送される。
【００３５】
通話状態にある増設親機２ａの増設送信アンプ２３ａは、増幅利得Ｇ20aが１倍の反転アンプで構成されているため、増設送話音声信号と同一の電圧レベルＶ20aで波形を反転させた式（４）に示す電圧レベルＶ23aの逆位相信号が出力端子から出力される。
【００３６】
【数４】
2010057059.tif 000006
【００３７】
ここで、親機１の終端抵抗Ｒ106の抵抗値と、増設親機２ａ、２ｂの出力抵抗Ｒ21a、Ｒ21bの抵抗値とは、式（５）に示す関係を有しており同一であり、入力抵抗Ｒ22a、Ｒ22bの抵抗値と比較して非常に小さいため、増設送信アンプ２３ｂ及び帰還アンプ２５ｂがそれぞれ動作していない場合、上り音声ラインＬ1のライン電圧ＶL1は、親機１の終端抵抗Ｒ106の抵抗値と通話状態にある増設親機２ａの出力抵抗Ｒ21aの抵抗値とのとの合成和（並列合成和）で分圧された値となり、ライン電圧ＶL1の電圧レベルは、式（６）に示すように、通話状態にある増設親機２ａの増設送信アンプ２３ａの出力端子の電圧レベルＶ23aの１／３倍とされ、この電圧レベルの増設送話音声信号が、出力抵抗Ｒ21a、コンデンサＣ21a、コンデンサＣ22a、入力抵抗Ｒ22aを経由して帰還アンプ２５ａの（−）入力端子に伝送される。
【００３８】
【数５】
2010057059.tif 000007
【００３９】
【数６】
2010057059.tif 000008
【００４０】
また、通話状態にある増設親機２ａの帰還アンプ２５ａは、前述の増設送信アンプ２３ａと同様、増幅利得Ｇ25aが１倍の反転アンプで構成されているため、上り音声ラインＬ1のライン電圧ＶL1と同一の電圧レベルで波形を反転させた式（７）に示す電圧レベルＶ25aの逆位相帰還信号が出力端子から出力されることになり、この逆位相帰還信号は、増設マイク２０ａからの増設送話音声信号と同位相であって、抵抗Ｒ26a、コンデンサＣ24aを経由して増設送信アンプ２３ａの（−）入力端子に伝送される。
【００４１】
【数７】
2010057059.tif 000009
【００４２】
ここで、通話状態にある増設親機２ａの増設送信アンプ２３ａは、増設マイク２０ａからの増設送話音声信号と帰還アンプ２５ａからの逆位相帰還信号とを加算することにより、増設送信アンプ２３ａの出力端子から出力される増設音声／帰還加算信号の電圧レベルＶ23aは、式（８）に示すように、増設マイク２０ａからの増設送話音声信号の３／２倍となり、この増設音声／帰還加算信号は、親機１の終端抵抗Ｒ106の抵抗値と通話状態にある増設親機２ａの出力抵抗Ｒ21aの抵抗値とのとの合成和（並列合成和）で分圧された値、すなわち、増設マイク２０ａからの増設送話音声信号の電圧レベルＶ20aで、出力抵抗Ｒ21a、コンデンサＣ21a、上り音声ラインＬ1、親機１のコンデンサC103、入力抵抗Ｒ104を経由して親機受信アンプ１１４の（−）入力端子に伝送され、この親機受信アンプ１１４の作用によって増幅された後、親機スピーカ１１１から親機受話音声信号として出力されるとともに、前述の上り音声ラインＬ1、非通話状態にある増設親機２ｂのコンデンサＣ22b、入力抵抗Ｒ22bを経由して帰還アンプ２５ｂに伝送される。
【００４３】
【数８】
2010057059.tif 000010
【００４４】
さらに、非通話状態にある増設親機２ｂの帰還アンプ２５ｂは、増幅利得Ｇ25bが１倍の反転アンプで構成されているため、増設音声／帰還加算信号と同一の電圧レベルで波形を反転させた式（９）に示す電圧レベルの逆位相帰還信号が出力端子から出力されることになり、この逆位相帰還信号は、増設マイク２０ｂからの増設送話音声信号と同位相であって、増設送信アンプ２３ｂの（−）入力端子に伝送される。
【００４５】
【数９】
2010057059.tif 000011
【００４６】
ここで、非通話状態にある増設親機２ｂの増設送信アンプ２３ｂは、帰還アンプ２５ｂからの逆位相帰還信号が入力される一方、増設マイク２０ｂからの増設送話音声信号の入力がないため、逆位相帰還信号の波形を反転させた信号が出力端子から出力され、非通話状態にある増設親機２ｂの出力抵抗Ｒ21bの両端には、同位相、同電圧レベルの信号が印加されて電流が全く流れないことから、見かけ上、出力抵抗Ｒ21bの抵抗値は、式（１０）に示すように無限大となり、親機１からみた非通話状態にある当該増設親機のインピーダンスが高インピーダンスとなり擬似化される。
【００４７】
【数１０】
2010057059.tif 000012
【００４８】
これにより、ライン電圧ＶL1の電圧レベルは、式（１１）に示すように、通話状態にある増設親機２ａの増設送信アンプ２３ａの出力端子の電圧レベルＶ23aの１／２倍となり、また、増設送信アンプ２３ａの出力端子から出力される増設音声／帰還加算信号の電圧レベルＶ23aは、式（１２）に示すように、増設マイク２０ａからの増設送話音声信号の２倍となり、上り音声信号の電圧レベルが可変することを防止でき、常に安定した電圧レベルの音声信号を親機１にて受信させることで良好な通話品質が確保される。
【００４９】
【数１１】
2010057059.tif 000013
【００５０】
【数１２】
2010057059.tif 000014
【００５１】
前述までの説明から明らかなように、親機１からみた非通話状態にある増設親機２ｂのインピーダンスが、高インピーダンスに擬似化されるため、非通話状態にある当該増設親機の台数が増えた場合、すなわち、増設親機２ｂ、・・・のように増えた場合であっても、見かけ上、出力抵抗Ｒ21b、・・・の抵抗値はそれぞれ無限大となり、親機１からみた非通話状態にある増設親機２ｂ、・・・のインピーダンスが高インピーダンスとなり擬似化される。
【００５２】
これにより、非通話状態にある当該増設親機の台数が増えた場合であっても、通話状態にある増設親機２ａから上り音声ラインＬ1を経由して親機１に伝送される増設送話音声信号の電圧レベルは、常に安定した電圧レベルとなり良好な通話品質を確保することができる。
【００５３】
本発明の３線式インターホン装置によれば、特定の実施の形態をもって説明してきたが、この形態に限定されるものでなく、本発明の効果を奏する限り、これまで知られた如何なる構成の当該装置であっても採用できるということはいうまでもないことである。
【図面の簡単な説明】
【００５４】
【図１】本発明の実施例による３線式インターホン装置の具体的な構成を示す回路図。
【図２】背景技術として従来例に記載した３線式インターホン装置の具体的な構成を示す回路図。
【符号の説明】
【００５５】
１……親機
１１０……親機マイク
１１１……親機スピーカ
Ｒ106……終端抵抗
２ａ、２ｂ、・・・……複数の増設親機
２０ａ、２０ｂ、・・・……増設マイク
２１ａ、２１ｂ、・・・……増設スピーカ
２３ａ、２３ｂ、・・・……増設送信アンプ
２５ａ、２５ｂ、・・・……帰還アンプ
Ｒ21a、Ｒ21b、・・・……出力抵抗
Ｌ1……上り音声ライン
Ｌ2……下り音声ライン
Ｌ3……グランドライン
【図１】
2010057059.tif 000015
【図２】
2010057059.tif 000016